(57)【要約】【課題】  着用時に腕を上げた時の袖や裾の吊り上がりを軽減し、スムーズな腕の動きを実理する上衣の提供。【解決手段】  前身頃、後身頃、袖及びマチ布からなり、前記前身頃及び後身頃は両脇にマチ布縫合線を有し、前記袖は両端にマチ布縫合線を有し、前記マチ布は細長の紡錘形状で両端に袖付け線を有し袖底を構成するための上部と両端に前・後身頃縫合線を有し前記前身頃と後身頃を連結するための下部からなり、且つ上記上部と下部の中間脇下箇所において幅に膨らみを形成し、これら各部材を一体に縫合し、脇下部分にゆとり部分を形成したことを特徴とする。【選択図】      図７
0003109859.tif 000002
【実用新案登録請求の範囲】
【請求項１】
前身頃、後身頃、袖及びマチ布からなり、前記前身頃及び後身頃は両脇にマチ布縫合線を有し、前記袖は両端にマチ布縫合線を有し、前記マチ布は細長の紡錘形状で両端に袖付け線を有し袖底を構成するための上部と両端に前・後身頃縫合線を有し前記前身頃と後身頃を連結するための下部からなり、且つ上記上部と下部の中間脇下箇所において幅に膨らみを形成し、これら各部材を一体に縫合し、脇下部分にゆとり部分を形成したことを特徴とする衣服。
【請求項２】
マチ布は脇下箇所において左右端からマチ布の幅のおよそ３分の１の幅のダーツをそれぞれ形成したことを特徴とする請求項１記載の衣服。
【考案の詳細な説明】
【技術分野】
【０００１】
本考案は、作業服等の上衣部分の衣服に関するものである。
【背景技術】
【０００２】
従来の衣服は、前身頃と後身頃とを合わせた胴部に、袖が直接取り付けられている。このような構成では、作業服のように腕を前後・左右・上下に大きくうごかす場合には、前後の見頃と袖との縫合部が引きつれ、腕の動きを阻害してしまう。そこで、特許文献１では、袖底から裾にかけて一枚のマチ布で縫製し、腕を上げたときのつっぱり感を無くすようにしたものが示されている。
しかし、特許文献１に示されたものは、袖底から裾にかけて一枚のマチ布を設けるとともに、前身頃及び後身頃の袖付け線の袖底部分となる頂部を頂点として山形状に張り出した部分を設けており、この張り出した部分によって与えられるゆとり量が定められている。
【特許文献１】特公平８−２３０８１
【考案の開示】
【考案が解決しようとする課題】
【０００３】
そこで、本考案は、前身頃及び後身頃に張り出し部分を設けなくても、マチ布にゆとり部分を設けることにより、着用時において、腕を上げたときの袖や裾の吊り上がりを軽減し、スムーズな腕の動きを実現させる衣服の提供を目的とするものである。
【課題を解決するための手段】
【０００４】
本考案に係る衣服は、前身頃、後身頃、袖及びマチ布からなり、前記前身頃及び後身頃は両脇にマチ布縫合線を有し、前記袖は両端にマチ布縫合線を有し、前記マチ布は細長の紡錘形状で両端に袖付け線を有し袖底を構成するための上部と両端に前・後身頃縫合線を有し前記前身頃と後身頃を連結するための下部からなり、且つ上記上部と下部の中間脇下箇所において幅に膨らみを形成し、これら各部材を一体に縫合し、脇下部分にゆとり部分を形成したことを特徴とする。この際、マチ布は脇下箇所において左右端からマチ布の幅のおよそ３分の１の幅のダーツをそれぞれ形成したりする。
【考案の効果】
【０００５】
本考案は以上の通り構成するものであって、出来る限り袖底のラインを身体の脇に近づけアームホールを小さくし、脇の廻りに余計な空間を作らないようにしたため、腕の動きを妨げないようにできた。また、袖底から裾にかけてのマチ布は脇下で膨らみをもたせ、さらにダーツを設けることで、狭くなったアームホールに若干のゆとりを持たせることができるものとなった。
【考案を実施するための最良の形態】
【０００６】
以下、図面に示す実施の形態について説明する。
図１は本考案に係る衣服の正面図で、図２は図１の背面図で、図３は前身頃の説明図で、図４は後身頃の説明図で、図５は袖の説明図で、図６はマチ布の説明図で、図７は袖をあげた状態の説明図である。
【０００７】
本考案に係る衣服１は、前身頃２、後身頃３、袖４、及び袖底から裾にかけてつながる一枚のマチ布５からなる。
【０００８】
前身頃２は、図３の実線で示すように、鎖線で示した従来の前身頃８と比べて横幅が狭い。そして、前身頃２の点２ａから点２ｂまではマチ布縫合線を構成し、点２ｂから点２ｃまでは袖付け線を構成する。
【０００９】
後身頃３は、図４の実線で示すように、鎖線で示した従来の後身頃９と比べて横幅が狭い。そして、後身頃３の点３ａから点３ｂまではマチ布縫合線を構成し、点３ｂから点３ｃまでは袖付け線を構成する。
【００１０】
袖４は、図５の実線で示すように、鎖線で示した従来の袖１０と比べて横幅が狭い。そして、袖４の点４ａから点４ｂまではマチ布縫合線を構成し、点４ｂから点４ｂまでは前身頃縫合線、及び後身頃縫合線を構成する。
【００１１】
マチ布５は、前見頃２及び後身頃３を従来の場合と比較して狭くした幅に相当する幅を有した紡錘形状の細長い布地で、袖底を構成するための上部と前記前身頃と後身頃を連結するための下部からなり、且つ上記上部と下部の中間脇下部分に相当する箇所において上記前見頃２及び後身頃３を従来の場合と比較して狭くした幅に相当する幅より幅を広くとり、幅に膨らみをもたせた紡錘形状に形成する。
【００１２】
すなわち、図６で示すように、マチ布の点５ａから点５ｂまでは袖付け線を構成し、点５ｂから点５ｃまでは前身頃縫合線、及び後身頃縫合線を構成し、上部と下部の中間箇所の点５ｂ−５ｂ間は脇下部分となり、この点５ｂ−５ｂ間の幅を広くとることにより脇下で膨らみをもたせた紡錘形状に形成するのである。さらには、点５ｂから点５ｄまでマチ布の幅のおよそ３分の１程度の幅のダーツ６を設け、これによりゆとりを確保することができる。
【００１３】
そうして、まず前後見頃２、３の肩を縫合し、前後見頃２、３に袖４を縫合しておく。そして、袖４の前側のマチ布縫合線とマチ布５の前側の袖付け線を縫合し、続けて前身頃２のマチ布縫合線とマチ布５の前身頃縫合線を縫合する。その後、袖４の後側のマチ布縫合線とマチ布５の後側の袖付け線を縫合し、続けて後身頃３のマチ布縫合線とマチ布５の後身頃縫合線を縫合する。
【００１４】
なお、図７に示す７はアームホールで、本考案に係る衣服１は、アームホール７を小さくして、腕の廻りに余計な空間を作らないようにしてある。そして、マチ布の脇下箇所に膨らみをもたせ、さらにダーツを設けることによりゆとりを調節できるのである。
【図面の簡単な説明】
【００１５】
【図１】本考案に係る衣服の正面図である。
【図２】図１の背面図である。
【図３】前身頃の説明図である。
【図４】後身頃の説明図である。
【図５】袖の説明図である。
【図６】マチ布の説明図である。
【図７】袖をあげた状態の説明図である。
【符号の説明】
【００１６】
１    衣服
２    前身頃
３    後身頃
４    袖
５    マチ布
６    ダーツ
７    アームホール
【図１】
0003109859.tif 000003
【図２】
0003109859.tif 000004
【図３】
0003109859.tif 000005
【図４】
0003109859.tif 000006
【図５】
0003109859.tif 000007
【図６】
0003109859.tif 000008
【図７】
0003109859.tif 000009